(57)【要約】【課題】使用する資材及び生産工程を減少させて安価に作製できる真贋判別具を提供する。【解決手段】真贋判別具１０は、商品１００又はその包装部材に設けられた真贋表示部３０の真贋を判別する真贋判別具１０であって、真贋表示部３０に重ねることにより、真贋表示部３０の真贋を判別する真贋判別基材２１と、真贋判別基材２１を挟み込み、真贋判別基材２１の少なくとも一部を表出させる表出手段２３を設けた本体基材２０とを備える。【選択図】図１
2008203557.tif 000002
【特許請求の範囲】
【請求項１】
商品又はその包装部材に設けられた真贋表示部の真贋を判別する真贋判別具であって、
前記真贋表示部に重ねることにより、前記真贋表示部の真贋を判別する真贋判別基材と、
前記真贋判別基材を挟み込み、前記真贋判別基材の少なくとも一部を表出させる表出手段を設けた本体基材と、
を備える真贋判別具。
【請求項２】
請求項１に記載の真贋判別具において、
前記表出手段は、前記真贋判別基材の少なくとも片面の一部又は全部を表出する表出窓であること、
を特徴とする真贋判別具。
【請求項３】
請求項１に記載の真贋判別具において、
前記表出手段は、前記本体基材に対して、前記真贋判別基材を回転自在に結合する結合部であり、
前記真贋判別基材を、前記結合部で回転させることにより、前記本体基材から表出させること、
を特徴とする真贋判別具。
【請求項４】
請求項１から請求項３までのいずれか１項に記載の真贋判別具において、
前記真贋判別基材は、光の選択反射特性を有する光選択性フィルムであり、
前記真贋表示部は、光の選択反射特性を有する光選択反射層であること、
を特徴とする真贋判別具。
【請求項５】
請求項４に記載の真贋判別具において、
前記真贋判別基材及び前記真贋表示部の前記光の選択反射特性は、円偏光性であること、
を特徴とする真贋判別具。
【請求項６】
請求項５に記載の真贋判別具において、
前記円偏光性は、コレステリック液晶により形成されること、
を特徴とする真贋判別具。
【請求項７】
請求項５又は請求項６に記載の真贋判別具において、
前記真贋判別基材の円偏光性は、右円偏光性であり、
前記真贋表示部の円偏光性は、左円偏光性であること、
を特徴とする真贋判別具。
【請求項８】
請求項５又は請求項６に記載の真贋判別具において、
前記真贋判別基材の円偏光性は、左円偏光性であり、
前記真贋表示部の円偏光性は、右円偏光性であること、
を特徴とする真贋判別具。
【請求項９】
請求項１から請求項８までのいずれか１項に記載の真贋判別具において、
前記真贋表示部は、光回折構造形成層を備えること、
を特徴とする真贋判別具。
【請求項１０】
請求項４から請求項９までのいずれか１項に記載の真贋判別具において、
前記真贋表示部は、複数の前記光選択反射層を備えること、
を特徴とする真贋判別具。
【請求項１１】
請求項４から請求項１０までのいずれか１項に記載の真贋判別具において、
前記真贋判別基材は、複数の前記光選択性フィルムを備えること、
を特徴とする真贋判別具。
【発明の詳細な説明】
【技術分野】
【０００１】
本発明は、商品の真贋を判別する真贋判別具に関するものである。
【背景技術】
【０００２】
昨今、ブランド商品などの模倣品の横行に伴い、さまざまな偽造対策が実施されている。主な偽造防止対策としては、商品又は商品の包装箱などに、偽造防止用ホログラム（光回折構造）などを設けたラベルを、貼付又は転写する対策が実施されていたが、精巧な偽造品の場合には、目視だけでは真贋判別が困難である。そこで、最近ではホログラムの真贋判別に、目視だけでなく多種多様の真贋判別具が提案、製品化されている（例えば、特許文献１）。
【０００３】
特許文献１の発明は、左円偏光又は右円偏光のいずれか一方のみを反射して反射光を生成する円偏光選択性を有する反射性フィルムと、反射性フィルムに積層され、反射光と反対の円偏光の光を反射光と異なる方向に反射させてホログラム像を形成するホログラム形成部とを有し、ホログラムの左円偏光又は右円偏光のいずれか一方の光のみを透過する真贋判別具である。このような真贋判別具は、商品のメーカの調査員により使用されることを前提としているために、耐久性を重視した構成であった。
商品のメーカの調査員は、この真贋判定具を使用して、商品の販売店において偽造品の有無を１つずつ確認しているので、調査時間と人件費（コスト）が多大にかかるという問題があった。また、全国の販売店に商品が売られている場合には、各販売店において商品を全て確認するのは不可能であった。
【特許文献１】ＷＯ００／０１３０６５号公報
【発明の開示】
【発明が解決しようとする課題】
【０００４】
前述の問題点を解決するために、個々の商品に真贋判別具を付属させて、消費者自身に商品の真贋を判別させることも考えられたが、真贋判別具が耐久性重視の構成であったために高価となり、商品に付属させるには現実的ではなかった。
そこで、本発明の課題は、使用する資材及び生産工程を減少させて安価に作製できる真贋判別具を提供することである。
【課題を解決するための手段】
【０００５】
本発明は、以下のような解決手段により、前記課題を解決する。なお、理解を容易にするために、本発明の実施形態に対応する符号を括弧内に付して説明するが、これに限定されるものではない。
請求項１の発明は、商品（１００）又はその包装部材に設けられた真贋表示部（３０）の真贋を判別する真贋判別具（１０）であって、前記真贋表示部（３０）に重ねることにより、前記真贋表示部（３０）の真贋を判別する真贋判別基材（２１）と、前記真贋判別基材（２１）を挟み込み、前記真贋判別基材（２１）の少なくとも一部を表出させる表出手段（２３）を設けた本体基材（２０）とを備える真贋判別具（１０）である。
【０００６】
請求項２の発明は、請求項１に記載の真贋判別具（１０）において、前記表出手段（２３）は、前記真贋判別基材（２１）の少なくとも片面の一部又は全部を表出する表出窓（２３）であることを特徴とする真贋判別具（１０）である。
【０００７】
請求項３の発明は、請求項１に記載の真贋判別具（１０−２）において、前記表出手段（２３）は、前記本体基材（２０）に対して、前記真贋判別基材（２１）を回転自在に結
合する結合部（２３−１）であり、前記真贋判別基材（２１）を、前記結合部（２３−１）で回転させることにより、前記本体基材（２０）から表出させることを特徴とする真贋判別具（１０−２）である。
【０００８】
請求項４の発明は、請求項１から請求項３までのいずれか１項に記載の真贋判別具（１０）において、前記真贋判別基材（２１）は、光の選択反射特性を有する光選択性フィルムであり、前記真贋表示部（３０）は、光の選択反射特性を有する光選択反射層（３２）であることを特徴とする真贋判別具（１０）である。
【０００９】
請求項５の発明は、請求項４に記載の真贋判別具（１０）において、前記真贋判別基材（２１）及び前記真贋表示部（３０）の前記光の選択反射特性は、円偏光性であることを特徴とする真贋判別具（１０）である。
【００１０】
請求項６の発明は、請求項５に記載の真贋判別具（１０）において、前記円偏光性は、コレステリック液晶により形成されることを特徴とする真贋判別具（１０）である。
【００１１】
請求項７の発明は、請求項５又は請求項６に記載の真贋判別具（１０）において、前記真贋判別基材（２１）の円偏光性は、右円偏光性であり、前記真贋表示部（３０）の円偏光性は、左円偏光性であることを特徴とする真贋判別具（１０）である。
【００１２】
請求項８の発明は、請求項５又は請求項６に記載の真贋判別具（１０）において、前記真贋判別基材（２１）の円偏光性は、左円偏光性であり、前記真贋表示部（３０）の円偏光性は、右円偏光性であることを特徴とする真贋判別具（１０）である。
【００１３】
請求項９の発明は、請求項１から請求項８までのいずれか１項に記載の真贋判別具（１０）において、前記真贋表示部（３０）は、光回折構造形成層（３３）を備えることを特徴とする真贋判別具（１０）である。
【００１４】
請求項１０の発明は、請求項４から請求項９までのいずれか１項に記載の真贋判別具（１０）において、前記真贋表示部（３０）は、複数の前記光選択反射層（３２）を備えることを特徴とする真贋判別具（１０）である。
【００１５】
請求項１１の発明は、請求項４から請求項１０までのいずれか１項に記載の真贋判別具（１０−４）において、前記真贋判別基材（２１）は、複数の前記光選択性フィルムを備えることを特徴とする真贋判別具（１０−４）である。
【発明の効果】
【００１６】
以上説明したように、本発明によれば、以下のような効果がある。
（１）真贋判別具は、真贋判別基材と、その真贋判別基材の少なくとも一部を表出させる表出手段を設けた本体基材とで構成しているので、使用する資材及び生産工程を減少させて安価に作製することができる。
（２）表出手段は、真贋判別基材の少なくとも片面の一部又は全部を表出する表出窓であるので、商品又はその包装部材に設けられた真贋表示部に、真贋判別具の表出窓をかざすことにより、容易に真贋表示部の真贋を判別することができる。
【００１７】
（３）表出手段は、本体基材に対して、真贋判別基材を回転自在に結合する結合部であり、真贋判別基材を結合部で回転させることにより、本体基材から表出させるので、必要に応じて真贋判別基材を表出させることができ、使用しないときは、真贋判別基材の表裏面を保護することができる。
（４）真贋判別基材は光選択性フィルムであり、真贋表示部は光選択反射層であるので、
光の選択反射特性を利用することにより、真贋表示部の真贋を、真贋判別基材を用いて目視により判別することができる。
【００１８】
（５）真贋判別基材及び真贋表示部の光の選択反射特性は、円偏光性であるので、簡易な構成で真贋判別をすることができる。
（６）円偏光性は、コレステリック液晶により形成されているので、円偏光性を備えた層を容易に形成することができる。
（７）真贋判別基材は右円偏光性であり、真贋表示部は左円偏光性であるので、真贋表示部の左円偏光性の反射光は、真贋判別基材の右円偏光性により遮断され、その現象を真贋判別の判定基準にすることができる。
【００１９】
（８）真贋判別基材が左円偏光性であり、真贋表示部が右円偏光性であるので、真贋表示部の右円偏光性の反射光は、真贋判別基材の左円偏光性により遮断され、その現象を真贋判別の判定基準にすることができる。
（９）真贋表示部は、光回折構造形成層を備えているので、商品の偽造を視覚的に抑止し、セキュリティ性を向上させることができる。
（１０）真贋表示部は、複数の光選択反射層を備えているので、真贋判別機能を多種多様に設定することができ、それにより、偽造防止機能を向上させることができる。
（１１）真贋判別基材は、複数の光選択性フィルムを備えているので、多種多様に設定された真贋表示部の真贋判別に対応することができる。
【発明を実施するための最良の形態】
【００２０】
本発明は、使用する資材及び生産工程を減少させて安価に作製できる真贋判別具を提供するという目的を、表出手段を有した本体基材に真贋判別基材を挟み込むことにより実現する。
【実施例１】
【００２１】
以下、図面等を参照して、本発明の実施例をあげて、さらに詳しく説明する。
図１は、本発明による実施例１の真贋判別具の詳細を示す図であり、図１（Ａ）に、平面図を示し、図１（Ｂ）に、図１（Ａ）のＢ−Ｂ断面図を示し、図１（Ｃ）に、図１（Ａ）の背面図を示す。また、図２は、真贋表示部を有した商品を示す図であり、図２（Ａ）に商品の斜視図を、図２（Ｂ）及び（Ｃ）に真贋表示部の真贋判別するときの図を示す。更に、図３は、商品に設けられた真贋表示部の詳細を示す図であり、図３（Ａ）に平面図を、図３（Ｂ）に側面図を示す。
真贋判別具１０は、図１及び図２（Ａ）に示すように、商品１００などに設けられた真贋表示部３０の真贋を、光の選択反射特性の円偏光性を利用して判別する道具であり、本体基材２０及び真贋判別基材２１により構成される。
【００２２】
本体基材２０は、図１（Ｂ）に示すように、折れ線２２を挟んで第１の基材部２０−１及び第２の基材部２０−２を形成し、真贋判別基材２１を、第１及び第２の基材部２０−１、２０−２に挟み込んで接着剤２６により固定する台紙である。また、挟み込んだ真贋判別基材２１の一部を表出するために、第１及び第２の基材部２０−１、２０−２のそれぞれに、表示窓２３が設けられる。
第１の基材部２０−１は、表面に真贋判別具１０の名称２４（ＱＵＩＣＫＣＨＥＣＫＥＲ）が印刷された紙片である。
第２の基材部２０−２は、表面に真贋判別具１０の使用方法２５が印刷された紙片である。
【００２３】
真贋判別基材２１は、右円偏光は透過するが、左円偏光は透過しないという右円偏光性の特性を持つようにコレステリック液晶配向を固定化した高分子フィルム（光選択性フィ
ルム）である。高分子フィルムは、例えば、特定の低分子液晶をコレステリック配向させて、光又は熱反応させることにより配向状態を固定化したり、サーモトロピック高分子液晶を液晶状態でコレステリック配向させ、液晶の転移点以下の温度で冷却することにより、配向状態を固定化したりして作製することができる。
折れ線２２は、第１の基材部２０−１と第２の基材部２０−２とを折り重ねる折り曲げ用のミシン目である。
【００２４】
真贋表示部３０は、図２及び図３に示すように、商品１００に貼付された、商品１００の真贋を証明する粘着ラベルであり、保護層３１、光選択反射層３２、光回折構造形成層３３、反射層３４、ラベル基材３５及びラベル接着層３６により構成される。
保護層３１は、真贋表示部３０の表面を保護する層である。
光選択反射層３２は、見る角度によって色彩が可変する円偏光性を有したコレステリック液晶を、パターン印刷により印刷した層であり、本実施例では、左円偏光性の「Ｄ」の文字を形成している。コレステリック液晶の印刷は、他に、重合成コレステリック液晶溶液を用いてグラビア印刷して紫外線を照射する手法など、基材の種類や用途に応じて種々の方法を用いることができる。
【００２５】
光回折構造形成層３３は、紫外線や電子ビームなどの電離放射線を使用して光回折パターンやホログラムパターン等からなる光回折構造（レリーフ）を樹脂に記録している。光（自然光）を当てることにより、前記光回折構造の作用により立体画像を再生することができ、真贋表示部３０の偽造防止対策の１つとして、偽造の抑止力を向上させることができる。
反射層３４は、光回折構造形成層３３により形成される立体画像の視認性を向上させるための層であり、例えば、アルミニウムなどの金属からなる不透明な反射層、または、光回折構造形成層３３と屈折率の異なる透明材料からなる透明薄膜層、誘電体多層膜、あるいは、半透明になる薄い金属反射膜からなる透明反射層を蒸着して形成される。
ラベル基材３５は、ＰＥＴフィルムにより形成された真贋表示部３０の基材である。
ラベル接着層３６は、商品１００に真贋表示部３０を貼り付けるための再貼付不可能な接着層である。
【００２６】
次に、真贋判別具１０の使用方法について説明する。
商品１００を購入するときは、図２（Ｂ）に示すように、真贋判別具１０の表出窓２３により表出する真贋判別基材２１を、商品１００の真贋表示部３０に重ねる。真贋判別基材２１と真贋表示部３０とが重なることにより、真贋表示部３０の各層の図柄等が、表出窓２３の真贋判別基材２１を透過して視認される。
【００２７】
視認した真贋表示部３０が適正なものであれば、真贋表示部３０の中央に印刷された光選択反射層３２の「Ｄ」の文字は、左円偏光性で印刷されているので、右円偏光性の真贋判別基材２１には透過されずに、図２（Ｂ）の真贋表示部３０のように、「Ｄ」の文字のみが消えて、光回折構造形成層３３の立体画像のみが表示される。
一方、真贋表示部３０（商品１００）が偽造されたものであれば、「Ｄ」の文字が円偏光性で印刷されていないので、図２（Ｃ）の真贋表示部４０のように、「Ｄ」の文字を含めた全ての図柄が透過されてしまい、偽物であることが判別できる。
【００２８】
以上より、実施例１の真贋判別具には以下のような効果がある。
（１）真贋判別具１０は、真贋判別基材２１と、その真贋判別基材２１の少なくとも一部を表出させる表出窓２３を設けた本体基材２０とで構成しているので、使用する資材及び生産工程を減少させて、安価に真贋判別具１０を作製することができる。また、安価で作製できることにより、真贋判別具１０を顧客に配布することができ、顧客自身に商品１００の真贋を判別させることが可能となる。それに伴い、商品１００の偽造品の流出を減少
させ、正規品の購入率を向上させることができる。
【００２９】
（２）真贋判別基材２１は光選択性フィルムであり、真贋表示部３０は光選択反射層３２であるので、光の選択反射特性を利用することにより、真贋表示部３０の真贋を、真贋判別基材２１を用いて目視により判別することができる。
（３）真贋判別基材２１及び真贋表示部３０の光の選択反射特性は、円偏光性であるので、簡易な構成で真贋判別をすることができる。
（４）円偏光性は、コレステリック液晶により形成されているので、円偏光性を備えた層を容易に形成することができる。
【００３０】
（５）真贋判別基材２１は右円偏光性であり、真贋表示部３０は左円偏光性であるので、真贋表示部３０の左円偏光性の反射光は、真贋判別基材２１の右円偏光性により遮断され、その現象を真贋判別の判定基準にすることができる。
（６）真贋表示部３０は、光回折構造形成層３３を備えているので、商品１００の偽造を視覚的に抑止し、セキュリティ性を向上させることができる。
【実施例２】
【００３１】
図４は、本発明による実施例２の真贋判別具の詳細を示す図であり、図４（Ａ）に、平面図を示し、図４（Ｂ）に、図４（Ａ）のＢii−Ｂii断面図を示し、図４（Ｃ）に、使用形態図を示す。なお、以下の実施例では、前述した実施例１と同様な機能を果たす部分には、同一の符号又は末尾に統一した符号を付して、重複する説明や図面を適宜省略する。
真贋判別具１０−２は、上述した実施例１と同じ用途の道具であり、実施例１との相違点は、実施例１が、本体基材２０に表示窓２３を設け、その表示窓２３に真贋判別基材２１を接着剤２６で固定しているのに対し、実施例２では、図４に示すように、真贋判別基材２１をピン（結合部）２３−１により、回転自在に本体基材２０と結合させている点である。なお、真贋判別基材２１は、本体基材２０に対する回転を容易にするために、一端につまみ部２１−１が設けられている。
【００３２】
次に、真贋判別具１０−２の使用方法について説明する。
商品１００の真贋表示部３０の真贋を判別するときは、図４（Ａ）に示すように、本体基材２０に挟み込まれた真贋判別基材２１を、つまみ部２１−１を回転させて（矢印Ａ）、真贋判別基材２１の大部分を、図４（Ｃ）に示すように、本体基材２０から表出させる。表出させた真贋判別基材２１を真贋表示部３０に重ねることにより、真贋表示部３０の真贋を判別する。
真贋判別を終えたら、真贋判別基材２１を再び回転させて、本体基材２０へ収納する。
【００３３】
以上より、実施例２では、真贋判別具１０−２は、本体基材２０に対して、真贋判別基材２１を回転自在に結合するピン２３−１を備え、真贋判別基材２１を、ピン２３−１で回転させることにより、本体基材２０から表出させるので、前述した実施例１の効果に加え、必要に応じて真贋判別基材２１を表出させることができ、使用しないときは、真贋判別基材２１の表裏面を保護することができる。
【実施例３】
【００３４】
図５は、本発明による実施例３の真贋判別具の詳細を示す図であり、図５（Ａ）に、平面図を示し、図５（Ｂ）に、図５（Ａ）のＢiii−Ｂiii断面図を示し、図５（Ｃ）に、使用形態図を示す。
真贋判別具１０−３は、上述した実施例１と同じ用途の道具であり、実施例１との相違点は、実施例１が、本体基材２０の第１及び第２の基材部２０−１、２０−２に表示窓２３を設け、その表示窓２３に真贋判別基材２１を接着剤２６で固定しているのに対し、実施例３では、図５に示すように、第１の基材部２０−１のみに表示窓２３を設け、その表
示窓２３に真贋判別基材２１を接着剤２６で固定している点である。
【００３５】
次に、真贋判別具１０−３の使用方法について説明する。
商品１００の真贋表示部３０の真贋を判別するときは、図５（Ｂ）に示すように、真贋判別具１０−３の第１の基材部２０−１に折り重ねられた第２の基材部２０−２を開いて（矢印Ｃ）、図５（Ｃ）に示すように、真贋判別基材２１の両面を表出させる。表出させた真贋判別基材２１を真贋表示部３０に重ねることにより、真贋表示部３０の真贋を判別する。真贋判別を終えたら、再び、第２の基材部２０−２を第１の基材部２０−１に折り重ねる。
【００３６】
以上より、実施例３では、真贋判別具１０−３は、本体基材２０の第１の基材部２０−１のみに表出窓２３を設け、その表出窓２３に接着剤２６で真贋判別基材２１を接着しているので、前述した実施例１の効果に加え、表出窓２３を本体基材２０に設ける工程を最小限にし、また、真贋判別基材２１との接着工程と、使用する接着剤２６の消費とを最小限にすることができ、真贋判別具１０−３を安価に作製することができる。
【００３７】
（変形例）
以上説明した各実施例に限定されることなく、種々の変形や変更が可能であって、それらも本発明の範囲内である。
（１）各実施例では、真贋判別基材２１が右円偏光性であり、光選択反射層３２が左円偏光性であったが、真贋判別基材２１が左円偏光性であり、光選択反射層３２が右円偏光性であってもよい。
（２）各実施例では、真贋表示部３０は、左円偏光性の光選択反射層３２を設けたが、真贋表示部３０に左円偏光性及び／又は右円偏光性の複数の光選択反射層３２を設けてもよい。複数の光選択反射層３２を設けることにより、真贋判別機能を多種多様に設定することができ、それにより、偽造防止機能を向上させることができる。
【００３８】
（３）各実施例では、真贋判別具１０は、右円偏光性の真贋判別基材２１を備えたが、左円偏光性及び右円偏光性の真贋判別基材２１を備えてもよい。例えば、左円偏光性及び右円偏光性の真贋判別基材２１ａ、２１ｂを、図６（Ａ）に示すように、本体基材２０に並べて配置させることも可能であり、また、左円偏光性及び右円偏光性の真贋判別基材２１ａ、２１ｂを、図６（Ｂ）に示すように、重ねてピン２３−１で回転自在に結合することも可能である。これにより、多種多様に設定された真贋表示部３０の真贋判別に対応することができる。
【００３９】
（４）各実施例では、光選択反射層３２は、コレステリック液晶をパターン印刷して形成したが、それ以外の方法を用いて形成してもよい。例えば、光回折構造形成層３３などを付加した円偏光性を有する高分子フィルムをラベル基材３５に貼付することも可能であり、図７に示すように、円偏光性を伴うホログラム像（立体画像）を作り出して、真贋判別したときの真贋判別基材２１に、真贋表示部３０の「Ｄ」の文字だけでなく、その周辺の模様（立体画像）をも透過させなくすることも可能である。
（５）各実施例では、真贋表示部３０は、ラベル接着層３６を備えて商品１００に設けたが、直接、商品１００に転写（印刷）して設けてもよい。
【図面の簡単な説明】
【００４０】
【図１】本発明による実施例１の真贋判別具の詳細を示す図である。
【図２】本発明による実施例１の真贋表示部を有した商品を示す図である。
【図３】本発明による実施例１の真贋表示部の詳細を示す図である。
【図４】本発明による実施例２の真贋判別具の詳細を示す図である。
【図５】本発明による実施例３の真贋判別具の詳細を示す図である。
【図６】本発明による変形例を示す図である。
【図７】本発明による変形例を示す図である。
【符号の説明】
【００４１】
１０  真贋判別具
２０  本体基材
２１  真贋判別基材
２３  表出窓
３０  真贋表示部
１００  商品
【図１】
2008203557.tif 000003
【図２】
2008203557.tif 000004
【図３】
2008203557.tif 000005
【図４】
2008203557.tif 000006
【図５】
2008203557.tif 000007
【図６】
2008203557.tif 000008
【図７】
2008203557.tif 000009